(57)【要約】【課題】空調機の室内ユニットに装備される排水ポンプの残留水を効果的に排出する。【解決手段】排水ポンプ１ａは、ポンプハウジング１０内に回転羽根２０を有し、モータ３０により駆動される。ポンプハウジング１０の上部にとりつけられてモータ３０を支持するモータ下部ケース１００は、内筒部１２０と外筒部１０５を有する。ポンプ停止時に揚水パイプから戻る水は蓋部１１０の開口部１１６から噴出する。蓋部１１０の上面の残留水Ｗ２は内筒スリット１２２、排水用スリット１３０から排水される。このとき残留水Ｗ２は、ガイド部材（凸条）１４０によってもたらされる表面張力の作用で外部にスムーズに排出する。【選択図】図２
2015068205.tif 000002
【特許請求の範囲】
【請求項１】
下端部に設けられる吸込口と上部に設けられる吐出口を有するポンプハウジングと、ポンプハウジング内に収容される回転羽根と、ポンプハウジングの上方に配設されて回転羽根の筒状部に連結される駆動軸を有するモータを備え、
モータを支持するモータ下部ケースは、ポンプハウジングの上部を覆うとともに回転羽根の筒状部が貫通する開口部有する蓋部と、モータを支持する円筒形状の外筒部と内筒部を有し、
外筒部に設けられる排水用スリットは、残留水を外方に導くガイド部材を備えることを特徴とする排水ポンプ。
【請求項２】
ガイド部材の先端は蓋部の外縁よりも突出することを特徴とする請求項１記載の排水ポンプ。
【請求項３】
ガイド部材は、排水用スリットの両側に設けられることを特徴とする請求項１記載の排水ポンプ。
【請求項４】
排水用スリットに連通するガイド部材内側の蓋部上面に形成される水路を備えることを特徴とする請求項１記載の排水ポンプ。
【請求項５】
下端部に設けられる吸込口と上部に設けられる吐出口を有するポンプハウジングと、ポンプハウジング内に収容される回転羽根と、ポンプハウジングの上方に配設されて回転羽根の筒状部に連結される駆動軸を有するモータを備え、
モータを支持するモータ下部ケースは、ポンプハウジングの上部を覆うとともに回転羽根の筒状部が貫通する開口部有する蓋部を有し、
蓋部に設けられる排水用スリットは、残留水を外方に導くガイド部材を備えることを特徴とする排水ポンプ。
【発明の詳細な説明】
【技術分野】
【０００１】
本発明は、空調機の室内ユニットに装備される排水ポンプに関する。
【背景技術】
【０００２】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが装備される。
【０００３】
従来の排水ポンプの構造について、図８〜図１１を参照しつつ説明する。
【０００４】
図８、図９に示すように、排水ポンプ１は吸込口１２と吐出口１４を備えたポンプハウジング１０を有し、ポンプハウジング１０の内部には回転羽根２０が配設される。ポンプハウジング１０の上部の開口部には、図９（ｂ）及び（ｃ）に示すようにシール部材１８が挿入され、締結部１６を介してモータ下部ケース５０が取り付けられる。
【０００５】
モータ下部ケース５０はポンプハウジング１０の上面の開口部を覆う蓋部５２を有し、蓋部５２の中央部には回転羽根２０の筒状部２２が貫通する開口部５４が形成される。
モータ下部ケース５０の上部にはモータ３０が支持され、モータ３０の上部はモータ上部ケース４０で覆われる。
【０００６】
モータ３０の駆動軸３２は回転羽根２０の筒状部２２の中心穴に圧入され、筒状部２２の上部には水切板３４が取り付けられる。
【０００７】
排水ポンプ１の駆動時には開口部５４を通って外気がポンプハウジング１０内に吸い込まれてポンプハウジング１０内に気液境界面が形成される。排水ポンプ１が停止すると吐出口１４に連結された揚水パイプ内の水がポンプハウジング１０内に逆流し、開口部５４を通ってモータ３０側に噴出する。
水切板３４は、この逆流水がモータ３０側を直撃するのを防止する。この逆流して残った残留水Ｗ１は蓋部５２の上面に溜ろうとする。
【０００８】
内筒部５６には内筒スリット５８が設けてあり、モータ下部ケース５０には排水用スリット６０が設けられて、この残留水Ｗ１を外部に逃がす構造となっている。
【０００９】
しかしながら、従来の排水ポンプ１にあっては、図１１に示すように、残留水の先端表面Ｔ１は表面張力の作用によって排水用スリット６０に溜まる作用を受け、残留水が蓋部５２の外縁側に円滑に排出されない。
この残留水は腐敗等の発生原因ともなり、室内機に設置される排水ポンプにあっては環境衛生上の面でも好ましくない。
【先行技術文献】
【特許文献】
【００１０】
【特許文献１】特開２０１０−２７５９７２号公報
【特許文献２】特開２０１２−８２７９０号公報
【発明の概要】
【発明が解決しようとする課題】
【００１１】
本発明の目的は、ポンプハウジングの上面の残留水を効果的に流出させることができる排水ポンプを提供することである。
【課題を解決するための手段】
【００１２】
上記目的を達成するために本発明の排水ポンプは、基本的手段として、下端部に設けられる吸込口と上部に設けられる吐出口を有するポンプハウジングと、ポンプハウジング内に収容される回転羽根と、ポンプハウジングの上方に配設されて回転羽根の筒状部に連結される駆動軸を有するモータを備え、モータを支持するモータ下部ケースは、ポンプハウジングの上部を覆うとともに回転羽根の筒状部が貫通する開口部を有する蓋部と、モータを支持する円筒形状の外筒部と内筒部を有し、外筒部に設けられる排水用スリットは、排水されたドレン水の残留水を外方に導くガイド部材を備えることを特徴とする。
【００１３】
好ましくは、ガイド部材の先端は蓋部の外縁よりも突出する。さらに好ましくは、ガイド部材は排水用スリットの両側に設けられることもある。さらには、排水用スリットに連通するガイド部材内側の蓋部上面にスロープ部を備えることもある。
【発明の効果】
【００１４】
本発明の排水ポンプは以上の手段を備えることにより、ポンプ停止時にポンプハウジング内に逆流する戻り水がポンプハウジング上部の蓋部材上面に残留する残留水を可及的に少なくすることができ、残留水による不具合を解消することができる。
【図面の簡単な説明】
【００１５】
【図１】本発明の第１の実施形態に係る排水ポンプの全体外観を示す斜視図である。
【図２】同上の第１の実施形態の排水ポンプに係わり、（ａ）は上面図、（ｂ）は（ａ）のＡ−Ｂ断面図、（ｃ）はその要部拡大図、（ｄ）は（ｂ）のＣ−Ｃ断面図、（ｅ）はその要部拡大図である。
【図３】同上の第１の実施形態の排水ポンプの要部（排水スリット部）を示す拡大斜視図である。
【図４】同上要部（排水スリット部）における残留水の流出態様を模式的に示す説明図である。
【図５】排水ポンプの要部（排水スリット部）の他の変更例を示す斜視図である。
【図６】排水ポンプの要部（排水スリット部）のさらに他の変更例を示す斜視図である。
【図７】本発明の第２の実施形態に係る排水ポンプの全体外観を示す斜視図である。
【図８】従来の排水ポンプの全体外観を示す斜視図である。
【図９】同上の従来の排水ポンプに係わり、（ａ）は上面図、（ｂ）は（ａ）のＡ−Ｂ断面図、（ｃ）はその要部拡大図、（ｄ）は（ｂ）のＣ−Ｃ断面図、（ｅ）はその要部拡大図である。
【図１０】従来の排水ポンプの要部（排水スリット部）を示す拡大斜視図である。
【図１１】同上要部（排水スリット部）における残留水の流出態様を模式的に示す説明図である。
【発明を実施するための形態】
【００１６】
本発明に係る排水ポンプの第１の実施形態の詳細について図１及び図２を参照しつつ説明する。
【００１７】
図１及び図２に示すように、排水ポンプ１ａは吸込口１２と吐出口１４を備えたポンプハウジング１０を有し、ポンプハウジング１０の内部には回転羽根２０が配設される。ポンプハウジング１０の上部の開口部にはシール部材１１４が挿入され、締結部１６を介してモータ下部ケース１００が取り付けられる。モータ下部ケース１００はポンプハウジング１０の上面の開口部を覆う蓋部１１０を有し、蓋部１１０の中央部には回転羽根２０の筒状部２２が貫通する開口部１１６が形成される。
【００１８】
モータ下部ケース１００の上部にはモータ３０が支持され、モータ３０の上部はモータ上部ケース４０で覆われる。
【００１９】
図２（ｂ）に明確に示されるように、モータ３０の駆動軸３２は回転羽根２０の筒状部２２の中心穴に圧入され、筒状部２２の上部で水切板３４が駆動軸３２に取り付けられる。
【００２０】
排水ポンプ１ａの駆動時には、開口部１１６を通って外気がポンプハウジング１０内に吸い込まれてポンプハウジング１０内に気液境界面が形成される。排水ポンプ１ａが停止すると、吐出口１４に連結された揚水パイプ内の水がポンプハウジング１０内に逆流し、開口部１１６を通ってモータ３０側に噴出する。水切板３４はこのときの噴出水がモータ３０側を直撃するのを防止する。このときの戻り水の一部は残留水Ｗ２として蓋部１１０の上面に溜ろうとする。
蓋部１１０は中心から外周部に向けて緩やかな下向きの傾斜をつけてあるが、残留水Ｗ２を完全に排出することができない場合が生ずる。
【００２１】
モータ下部ケース１００は外筒部１０５と内筒部１２０を備え、内筒部１２０は内筒スリット１２２を有して残留水Ｗ２を外側に導く。外筒部１０５には排水用スリット１３０を設けてあり、残留水Ｗ２を外部に排出可能とする。
【００２２】
本発明の排水ポンプ１ａにあっては、図３に明確に示されるように、排水用スリット１３０のスリット壁部１３２の下端部において蓋部１１０外縁部に向けて延伸して所定量だけ外方へ突出するガイド部材（凸条）１４０を備えている。
【００２３】
排水用スリット１３０から流出する残留水Ｗ２の先端表面Ｔ２は、ガイド部材（凸条）１４０の存在によってもたらされる表面張力の作用（毛管浸透作用）によって、図４に示すように蓋部１１０の外縁部に効率的に導き出され、より多くの残留水Ｗ２が円滑に排出される。
ガイド部材（凸条）１４０のガイド部材先端１４２を蓋部１１０の外縁部よりも突出させることにより残留水Ｗ２は更に円滑に排出される。
【００２４】
ガイド部材（凸条）１４０の周囲には、図５に示すように、更なる改善・工夫が施される。
本実施例にあっては、ガイド部材１４０（凸条）に隣接する蓋部１１０にスロープ部１１２を設けてある。この構造により残留水Ｗ２は更に円滑に排出される。
【００２５】
図６は、ガイド部材（凸条）１４０の周囲に施す更に他の改善・工夫を示す。
本実施例にあっては、排水用スリット１３０の両側にガイド部材（凸条）１４０とガイド部材（凸条）１５０を所定の間隔をもって設けてある。このガイド部材（凸条）１４０とガイド部材（凸条）１５０により残留水Ｗ２は表面張力の作用を受けて効果的に排出される。
【００２６】
図７は、本発明の排水ポンプの第２の実施形態を示す。
吸込口１２と吐出口１４を有するポンプハウジング１０の上部には、締結部１６を利用してモータ支持部材２００が取り付けられる。モータ支持部材２００はモータ３５を支持するとともに、ポンプハウジング１０の上部を覆う蓋部材２１０を有する。蓋部材２１０の中央部には開口部２１２が設けられ、図示しない回転羽根の筒状部の上部には水切板３４が取り付けられる。
【００２７】
蓋部材２１０の外縁部には排水用スリット２２０が形成されるが、本排水ポンプにあっては、排水用スリット２２０にガイド部材（凸条）２３０が設けられる。
【００２８】
本発明の排水ポンプは以上のように、ポンプの運転停止時にポンプハウジングの上部に噴出する戻り水を円滑に蓋の上面から排出することができる。
この作用により、蓋の上面に溜る残留水を少なくでき、それに伴って腐敗の発生等を防止し、使用環境を良好に保つことができる。
【００２９】
上記第１及び第２の実施形態において、モータ下部ケース（蓋部）の表面に、撥水性コーティングや親水性コーティングを施すことも可能である。かかる処理を施すことによって蓋の上面に溜る残留水をなお一層少なくすることが可能である。
【符号の説明】
【００３０】
１，１ａ，１ｂ  排水ポンプ
１０  ポンプハウジング
１２  吸込口
１４  吐出口
１６  締結部
１８  シール部材
２０  回転羽根
２２  筒状部
３０  モータ
３２  駆動軸
３４  水切板
３５  モータ
４０  モータ上部ケース
５０  モータ下部ケース
５２  蓋部
５４  開口部
５６  内筒部
５８  内筒スリット
６０  排水用スリット
１００  モータ下部ケース
１０５  外筒部
１１０  蓋部
１１２  スロープ部
１１４  シール部材
１１６  開口部
１２０  内筒部
１２２  内筒スリット
１３０  排水用スリット
１３２  スリット壁部
１４０、１５０  ガイド部材（凸条）
１４２、１５２  ガイド部材先端
Ｗ２  残留水
Ｔ２  残留水の先端表面
２００  モータ支持部材
２１０  蓋部材
２１２  開口部
２２０  排水用スリット
２３０  ガイド部材（凸条）
【図１】
2015068205.tif 000003
【図３】
2015068205.tif 000004
【図５】
2015068205.tif 000005
【図６】
2015068205.tif 000006
【図７】
2015068205.tif 000007
【図８】
2015068205.tif 000008
【図１０】
2015068205.tif 000009
【図２】
2015068205.tif 000010
【図４】
2015068205.tif 000011
【図９】
2015068205.tif 000012
【図１１】
2015068205.tif 000013